(57)【要約】【課題】考案は、メモ帳自体が立体的であり、且つその絵柄に歴史的、観光名所案内的、産物的等の知的好奇心を看取できるような関連性のある複数の絵柄を有する装飾的な効果を付与することでこのメモ帳自体をアートとして利用できるようにした立体性を有するメモ帳を提供する。【解決手段】同大同形状の数種類メモ用紙群からなる複数ページ束部からなり、各複数ページ束部は各々その縦長さを異にすると共に、前記各ページ束部を側辺及び下辺を整列した上で前部より後部方向に縦長さを小から大に配列した多層ページ束部となし、該多層ページ束部の下端部を固定一体化し、更に、前記ページ束部の外周上部より突出させてなる各突出絵柄は相互に異ならしめると共に、多層化したページ束部の突出絵柄部が相互に重ならぬように配置せしめ、前記メモ用紙部の中央部に筆記メモ部となし前記各突出絵柄がメモ帳の意図と関連した絵柄としてある立体性を有するメモ帳とした。【選択図】図１
0003178792.tif 000002
【実用新案登録請求の範囲】
【請求項１】
同大同形状の数種類メモ用紙群からなる複数ページ束部からなり、各複数ページ束部は各々その縦長さを異にすると共に、前記各ページ束部を側辺及び下辺を整列した上で前部より後部方向に縦長さを小から大に順次に配列した多層ページ束部となし、該多層ページ束部の下端部を固定一体化し、更に、前記ページ束部の外周上部より突出させてなる各突出絵柄は相互に異ならしめると共に、多層化したページ束部の突出絵柄部が相互に重ならぬように配置せしめ、前記メモ用紙部の中央部に筆記メモ部となし前記各突出絵柄がメモ帳の意図と関連した絵柄としてあることを特徴とした立体性を有するメモ帳。
【請求項２】
多層ページ束部の下端部を固定一体化した下端を、背板と連結片と透明プラスチックとからなる表層部の連結片の内側に固定した請求項１記載の立体性を有するメモ帳。
【請求項３】
絵柄部とメモ書き部とを備えた各ページの絵柄部は、メモ帳の種別毎にその歴史的、観光名所案内的、又は産物的等の関連性を有するような表示とした請求項１記載の立体性を有するメモ帳。
【考案の詳細な説明】
【技術分野】
【０００１】この考案は、上縁部が絵柄等の形状にしたがった形状の突出部を有してなる数種類のメモ用紙束であって、それぞれのメモ用紙は個別にデザインされ、上縁部が突出絵柄部を有すると共に、各メモ用紙が複数枚を前方部から後方部にしたがって小型紙から大型紙に順次に配列され、下辺で固定一体化してなるメモ帳に関する。
【背景技術】
【０００２】従来のメモ帳では前縁部波形の凹凸部を形成したメモ帳が存在する。（例えば（特許文献１参照）
【考案の概要】
【考案の解決しようとする課題】
【０００３】従来のメモ帳は、メモをするための余白部分に主眼がおかれ、メモ帳としての装飾性、知的好奇心への配慮がほとんどなされないために特に若年層からのニーズに応えられないという問題点があった。
そこで、この考案は、上記のような要請に応えるべく、メモ帳自体が立体的であり、且つその絵柄に歴史的、観光名所案内的、地理的、産物的等の関連性を有するような装飾的な効果を付与することでこのメモ帳自体を部屋を飾るアートとしても利用できるようにしてある。
【課題を解決するための手段】
【０００４】従って、上記の目的を達成するために、同大同形状の数種類メモ用紙群からなる複数ページ束部からなり、各複数ページ束部は各々その縦長さを異にすると共に、前記各ページ束部を側辺及び下辺を整列した上で前部より後部方向に縦長さを小から大に順次に配列した多層ページ束部となし、該多層ページ束部の下端部を固定一体化し、更に、前記ページ束部の外周上部より突出させてなる各突出絵柄は相互に異ならしめると共に、多層化したページ束部の突出絵柄部が相互に重ならぬように配置せしめ、前記メモ用紙部の中央部に筆記メモ部となし前記各突出絵柄がメモ帳の意図と関連した絵柄としてある立体性を有するメモ帳とした。
【０００５】更に、メモ腸の保形性を図るために、多層ページ束部の下端部を固定一体化した下端を、背板と連結片と透明プラスチックとからなる表層部の連結片の内側に固定した立体性を有するメモ帳とした。
【０００６】教育的、知的好奇心を喚起するべく絵柄部とメモ書き部とを備えた各ページの絵柄部は、メモ帳の種別毎にその歴史的、観光名所案内的、地理的、又は産物的等の関連性を有するような表示とした立体性を有するメモ帳とした。
【考案の効果】
【０００７】縦長さを異にするページ束部を多層に重ね、且つ突出絵柄部が互いに重ならないようにすることによって、ページ束部に形成してある突出絵柄部が立体的に俯瞰できると共に、互いに絵柄を異にする突出絵柄部が知的好奇心を刺激する図柄であると共に、メモ帳の立体性を看取することができる。しかもこの立体性を有するメモ帳を友人、知人に送ることにより、立体性を有するメモ帳を受け取る側もこの立体性を有するメモ帳をアートとして楽しめることができる。突出絵柄部を年齢層に応じたデザインとすれば年齢を問わずに楽しいメモ帳を提供することができる。複数の絵柄によってストーリー性を付与すれば知的好奇心をも満足させることもできることになる。
【考案を実施するための最良の形態】
【０００８】本考案のメモ帳は、同大同形状の数種類メモ用紙群からなる複数ページ束部からなり、各複数ページ束部は各々その縦長さを異にすると共に、前記各ページ束部を側辺及び下辺を整列した上で前部より後部方向に縦長さを小から大に順次に配列した多層ページ束部となし、該多層ページ束部の下端を固定一体化し、更に、前記ページ束部の外周上部より突出させてなる各突出絵柄は相互に異ならしめると共に、多層化したページ束部の突出絵柄部が相互に重ならぬように配置せしめ、前記メモ用紙部の中央部に筆記メモ部となし前記各突出絵柄がメモ帳の意図と関連した絵柄とした立体性を有するメモ帳とした。
【実施例１】
【０００９】以下、本件考案の実施例について図面、図１〜図３に従って説明する。
メモ帳１は、縦長さを小から大の順に、ページ束部２ａ、ページ束部２ｂ、ページ束部２ｃ、ページ束部２ｄに配列され、その下部３を接着一体化してなる。ページ束部２ａ、ページ束部２ｂ、ページ束部２ｃ、ページ束部２ｄの上辺からは突出絵柄部３ａ．３ｂ  ３ｃ．３ｄが相互に重ならないように突出させてある。ページ束部２ａ、ページ束部２ｂ、ページ束部２ｃ、ページ束部２ｄは各々複数枚のメモ紙４を１０枚〜２０枚程度の同大同形状に裁断してなるものである。
メモ紙４のほぼ中央部にはメモ書き可能なメモ書き部５としてある。ページ束部２ａ、ページ束部２ｂ、ページ束部２ｃ、ページ束部２ｄに前方から後方に配列し下端６にて一体化してある。それぞれのページ束部から突出させてある突出絵柄部３は相互に異なっており、その外観を一瞥しただけで即座に全ての絵柄を認識することができる。ページ束部２ａの前方にはこのメモ帳の表題シート７で装飾してある。【０００９】本件考案はページ束部２ａ、ページ束部２ｂ、ページ束部２ｃ、ページ束部２ｄにそれぞれ別異の突出絵柄部３ａ．３ｂ  ３ｃ．３ｄがメモ帳１の外観を一瞥しただけでそれぞれの突出絵柄部が他の突出絵柄部から離間しているから、全体として各突出絵柄部の立体性が鮮明である。この立体性は、各ページ束部の厚さ、即ちメモ紙４の枚数が通例１０枚〜２０枚程度とするのが適当であるが、その立体的性はその厚みに左右される。【００１０】したがって、ページ束部２ａ、ページ束部２ｂ、ページ束部２ｃ、ページ束部２ｄに突出させてある突出絵柄部３ａ．３ｂ  ３ｃ．３ｄは、それぞれその絵柄を異にしてあり、各絵柄は何らかの意味において関連性を有するようにしてある。
例えば、図面、図１〜図３に表示してある出絵柄部３ａ．３ｂ  ３ｃ．３ｄでは、主として熊本県の名所として阿蘇山、と熊本城を表わされると共に、産物として「からし蓮根」と「晩白柚（ハンペイユ）を表示してあるから、このメモ帳を手にした者は、この  表題シート６とそれぞれの突出絵柄部３ａ．３ｂ  ３ｃ．３ｄとを一瞥して熊本県の名所、産物を理解できる。【００１１】例えば、表題シート（公序良俗違反につき、不掲載）、突出絵柄部３ａの「からし蓮根」．３ｂの「熊本城」  ３ｃの「阿蘇山」．３ｄの「晩白柚（ハンペイユ）」が複数枚のメモ紙４のぶんだけ立体的に前方より後方に一瞥できるのである。
【実施例２】
【００１２】表題シート７を含み、ページ束部２ａ、ページ束部２ｂ、ページ束部２ｃ、ページ束部２ｄに配列され、その下部を接着一体化し形成したメモ帳１をより一層強固に一体するために、メモ帳の下端部を、背板８と連結片９と表側透明プラスチック板１０とから構成されるなるカバー１１の連結片９の内側部に固定してメモ帳が強固に保形されている。【００１３】従って、このメモ帳１を表側透明プラスチック板９を透してみれば、各絵柄が光沢が付与され一層立体感を看取できる。各突出絵柄部１３が相互に離間している状態を確認することができる。
【実施例３】
【００１４】更に、図４に示したのは本願考案の立体性のメモ帳の他の実施例であって、ここでは、富士山頂気象観測所又は、富士山レーダードームの完成にいたるまでの資材の運搬の歴史を各突出絵柄部で説明的に図示したものである。【００１５】即ち、富士山頂気象観測所又は、富士山レーダードームを完成させるために、これらの資材を山頂に運搬するためにページ束部２２ａ、ページ束部２２ｂ、ページ束部２２ｃ、ページ束部２２ｄのそれぞれ各ページ束部には（１）人馬の突出絵柄部３３ａ→（２）船型の搬送具を牽引する突出絵柄部３３ｂ→（３）ヘリコプターでの搬送手段の突出絵柄部３３ｃ→（４）富士山レーダードーム３３ｄの完成の経過が各ページ束部上部に突出させてなる突出絵柄部に順次に描かれている。即ち、ここでは、富士山レーダードームの完成に到る歴史的なストーリーを突出絵柄部３３ａ．３３ｂ  ３３ｃ．３３ｄ等の複数の突出絵柄部によって立体性を有するメモ帳によって一瞥して理解できるようにしてある。【００１６】以上述べたところから明らかなように、本件考案は、ここに述べた以外の各種の実施態様とすることができることから本件の考案を立体性を有するメモ帳としてあるが、それ以外にも例えば、この考案の精神を外すことなく他の名称、例えば、立体性を有するレターセット、立体性を有するノート、立体性を有する手帳、立体性を有するビジネス手帳、立体性を有する調査メモ、立体性を有する日記帳、立体性を有する記録メモ、立体性を有する備忘録、立体性を有する練習帳、立体性を有する草稿帳、構想ノート、等の用紙綴とすることを採用することは容易であるが、この考案の範囲はその実用新案登録請求の範囲の欄の記載の内容によって定まるものであります。【００１７】即ち、本件考案の立体性を有するメモ帳は、立体性を有するレターセット、立体性を有するノート、立体性を有する手帳、立体性を有するビジネス手帳、立体性を有する調査メモ、立体性を有する日記帳、立体性を有する記録メモ、立体性を有する備忘録、立体性を有する練習帳、立体性を有する草稿帳、構想ノート、等の用紙綴を含むものである。
【産業上の利用の可能性】
【００１８】現在一般に利用されているメモ帳等には概して実用性のみが考慮されるのみで、装飾性、立体性に欠け、従って若年層への配慮に欠けているために若年層のメモ帳の需要を喚起することが出来ない。本考案は若年層縦へのメモ帳の需要を一気に飛躍的に伸ばすべく開発したものである。
【図面の簡単な説明】
【００１９】
【図１】この考案立体性を有するメモ帳の斜視図である。
【図２】この考案立体性を有するメモ帳を構成する各ページ束部の斜視図、（ａ）は最前列のページ束部の斜視図、（ｂ）は前列より二列目のページ束部の斜視図、（ｃ）は前列より三列目のページ束部の斜視図、（ｄ）は前列より四列目のページ束部の斜視図である。
【図３】図１のＡ−Ａ線の一部省略断面図である。
【図４】他の実施例を示す斜視図である。
【符号の説明】
【００２０】１．．．    メモ帳
２ａ．    ．ページ束部
２ｂ  ．．  ページ束部
２ｃ  ．．  ページ束部
２ｄ  ．．  ページ束部
３ａ  ．．  突出絵柄部
３ｂ  ．．  突出絵柄部
３ｃ  ．．  突出絵柄部
３ｄ  ．．  突出絵柄部
４  ．．．  メモ紙
５  ．．．  メモ書き部
６  ．．．  下端部
７  ．．．  表題シート
８  ．．．  背板
９  ．．．  連結片
１０．．    表側透明プラスチックシート
１１．．    カバー
２２ａ．．  ページ束部
２２ｂ．．  ページ束部
２２ｃ．．  ページ束部
２２ｄ．．  ページ束部
３３ａ．．  突出絵柄
３３ｂ．．  突出絵柄
３３ｃ．．  突出絵柄
３３ｄ．．  突出絵柄
【先行技術文献】
【００２１】メモ帳として立体的形成されたものとしてその上方部にデザインされた突出部を備えているものとして下記の特許文献がある。
【技術文献１】
実用新案登録第３０６５９２６号
【図１】
0003178792.tif 000003
【図２】
0003178792.tif 000004
【図３】
0003178792.tif 000005
【図４】
0003178792.tif 000006
【手続補正書】
【提出日】平成24年7月23日(2012.7.23)
【手続補正１】
【補正対象書類名】明細書
【補正対象項目名】００１１
【補正方法】変更
【補正の内容】
【００１１】例えば、表題シート「くまドン」、突出絵柄部３ａの「からし蓮根」．３ｂの「熊本城」  ３ｃの「阿蘇山」．３ｄの「晩白柚（ハンペイユ）」が複数枚のメモ紙４のぶんだけ立体的に前方より後方に一瞥できるのである。
【手続補正２】
【補正対象書類名】図面
【補正対象項目名】図１
【補正方法】変更
【補正の内容】
【図１】
0003178792.tif 000007
【手続補正３】
【補正対象書類名】図面
【補正対象項目名】図２
【補正方法】変更
【補正の内容】
【図２】
0003178792.tif 000008